(57)【要約】      （修正有）【課題】ホットサンドを自分で簡単に焼くことが出来るようにした新規のホットサンドメーカーの提供。【解決手段】載置側とする固定側プレート１に対して、可動側プレート２を開閉自在に取付け、両プレート１、２には、サンドウィッチ素材を挟み込んで焼き上げるための二つ割り状の焼き型３を両プレート１、２の閉鎖に伴い合致可能とするように取り付けると共に、当該焼き型３は電熱源を具えた。【選択図】図１
0003201083.tif 000002
【実用新案登録請求の範囲】
【請求項１】
載置側とする固定側プレートに対して、可動側プレートを開閉自在に取付け、両プレートには、サンドウィッチ素材を挟み込んで焼き上げるための二つ割り状の焼き型を両プレートの閉鎖に伴い合致可能とするように取り付けると共に、当該焼型は電熱源を具えたものとしてなるホットサンドメーカー。
【請求項２】
固定側プレートと可動側プレートには夫々操作用把持部を形成し、当該把持部は両プレートの開閉操作と、両者を合致させた状態で器体全体に対する移動用把持柄として機能するように構成した請求項１に記載のホットサンドメーカー。
【請求項３】
固定側プレートと可動側プレートとの合致間隔を段階的に調節可能とする機構を設けて成る請求項１または請求項２に記載のホットサンドメーカー。
【請求項４】
固定側プレートと可動側プレートとの合致間隔を段階的に調節可能とする機構として、多段鈎片を可動側プレート２の操作用把持部内面に設け、当該多段鈎片の何れかの鈎片に対して係止可能とする掛け止め用レバーを、固定側プレートの操作用把持部の内面に設け、当該多段鈎片は、可動側プレートを閉じる際に掛け止め用レバーに対して弾力性を保ってスライド接触することによって当該多段鈎片の何れかの鈎片に対して選択的係止が成されるように構成した請求項３に記載のホットサンドメーカー。
【請求項５】
二つ割り状の焼き型の内面には格子模様状の凹凸を刻設した請求項１乃至請求項４の何れかに記載のホットサンドメーカー。
【考案の詳細な説明】
【技術分野】
【０００１】
本考案は、ホットサンドを自分で簡単に焼くことが出来るようにしたホットサンドメーカーに関する。
【背景技術】
【０００２】
従来、ホットサンドを自分で焼く場合、二つ割り状の焼型内に、サンドウィッチ状の素材を挟み込み、当該焼型をガスコンロ等の直火に掛けて焼き上げて行うものである。その他トーストしたパンにハム等を単に挟み込んだもの、或は普通のサンドウィッチをオーブン等で焼き上げて形成する場合もある。然し乍ら、この場合は、素材を密閉状態に保っていないことから、パンから水分が蒸発してしまい、本来のしっとり感を具えたホットサンドの食感とは著しく異なったものとされた。
【考案の概要】
【考案が解決しようとする課題】
【０００３】
本発明はホットサンドの形成が自宅で極めて簡便に成されるようにした新規の「ホットサンドメーカー」という製品の提供を図ったものである。
【課題を解決するための手段】
【０００４】
本考案は請求項１に記載のように、載置側とする固定側プレートに対して、可動側プレートを開閉自在に取付け、両プレートには、サンドウィッチ素材を挟み込んで焼き上げるための二つ割り状の焼き型を両プレートの閉鎖に伴い合致可能とするように取り付けると共に、当該焼型は電熱源を具えたものとしてなるホットサンドメーカーに係る。
【０００５】
本考案は請求項２に記載のように、固定側プレートと可動側プレートには夫々操作用把持部を形成し、当該把持部は両プレートの開閉操作と、両者を合致させた状態で器体全体に対する移動用把持柄として機能するように構成した請求項１に記載のホットサンドメーカーを実施の態様とする。
【０００６】
本考案は請求項３に記載のように固定側プレートと可動側プレートとの合致間隔を段階的に調節可能とする機構を設けて成る請求項１または請求項２に記載のホットサンドメーカーを実施の態様とする。
【０００７】
本考案は請求項４に記載のように、固定側プレートと可動側プレートとの合致間隔を段階的に調節可能とする機構として、多段鈎片を可動側プレート２の操作用把持部内面に設け、当該多段鈎片の何れかの鈎片に対して係止可能とする掛け止め用レバーを、固定側プレートの操作用把持部の内面に設け、当該多段鈎片は、可動側プレートを閉じる際に掛け止め用レバーに対して弾力性を保ってスライド接触することによって当該多段鈎片の何れかの鈎片に対して選択的係止が成されるように構成した請求項３に記載のホットサンドメーカー。を実施の態様とする。
【０００８】
本考案は、請求項５に記載ように、二つ割り状の焼き型の内面には格子模様状の凹凸を刻設した請求項１乃至請求項４の何れかに記載のホットサンドメーカーを実施の態様とする。
【考案の効果】
【０００９】
本考案は請求項１に記載のような構成の採用に基づき、家庭でのホットサンドの焼き上げが極めて簡便に達成されると共に、その全体がコンパクトな形態とされるため、使いやすくかつ収納場所を選ばない。
【００１０】
本考案は請求項２に記載のような構成を採用したから、その取扱いが極めて至便化される。
【００１１】
本考案は請求項３及び請求項４に記載のような構成を採用したから、パンの厚さ等に即応した最適な焼き上げが達成される。
【００１２】
すなわち、サンドウィッチ用のパン自体の厚さ、または、挟み込み材料に基づき、サンドウィッチ素材自体の厚さが著しく異なってくる。更に、パンのミミを切除するか否かに依ってもその厚さ及び圧縮の抵抗性が異なってくる。そこで、請求項３または請求項４に記載の構成に基づき、固定側プレート１と可動側プレート２を閉じた際にこれの選択的な所要強さでの挟着固定力を保持させることにより、強圧的にサンドウィッチ素材を圧縮した状態での焼き上げが可能化される。従って、薄めサンドウィッチ素材に対しては緩めの係合に基づき低圧力での焼き型の型締めを、また、厚めのサンドウィッチ素材に対してはキツメノ係合に基づきこれを圧縮させるような高圧力での焼き型の型締めが行われるというような好みに応じた焼き上げの達成が可能化される。
【００１３】
本考案は請求項４に記載のような構成を採用したから、ホットサンドの焼き上がり時に「布のキルト」を思わせるような可愛い格子模様の焼き目が付き、興趣性が高められることとなる。
【図面の簡単な説明】
【００１４】
【図１】本考案の側面図である。
【図２】本考案における焼き型の内面部分を示す斜視図である。
【図３】本考案における合致間隔を段階的に調節可能とする機構部分を表した斜視図である。
【図４】同上機構部分における多段鈎片部分を表した説明用参考図である。
【考案を実施するための形態】
【００１５】
図において、１は固定側プレート、２は当該固定側プレート１に対して開閉自在に取付けた可動側プレートであって、両プレート１，２には、操作用把持部1a,2aがそれぞれ形成されており、当該把持部は両プレートの開閉操作と、両者を合致させた状態で本発明に係る器体全体に対する移動用把持柄として機能するように構成してある。
【００１６】
３，３はサンドウィッチ素材を挟み込んで焼き上げるための二つ割り状の焼き型であって、夫々上記した固定側プレート１と可動側プレート２に対して、両プレートの閉鎖に伴い合致可能とするように取付けてある。そして、当該焼型は３，３には電熱源がセットされており、両プレートを閉じることにより、焼き型３，３で挟着したサンドウィッチ素材に対する焼き上げが成されるように構成してある。
【００１７】
４は固定側プレート１と可動側プレート２との挟着間隔を調節するための可動的に支持した多段鈎片であって、複数の鈎片を階段状に連設してなるものである。そして、当該多段鈎片４は可動側プレート２の操作用把持部２ａの内面に垂設してある。また、当該多段鈎片４はその上端部においてスプリングを介して弾力性を保って揺動自在に支持されている。
５は当該多段鈎片４の何れかの鈎片に対して選択的に係止可能とするように固定された掛け止め用レバーであって、固定側プレート１の操作用把持部1a側に固設してある。
【００１８】
上記した多段鈎片４と鈎片５は、固定側プレート１と可動側プレート２を閉じた際に弾力性を保ってスライド接触させることによって、掛け止め用レバー５が多段鈎片４の何れかの鈎片に対して選択可能に係止されるように構成してある。
【００１９】
すなわち、サンドウィッチ用のパン自体の厚さ、または、挟み込み材料に基づき、サンドウィッチ素材自体の厚さが著しく異なってくる。更に、パンのミミを切除するか否かに依ってもその形態が異なってくる。そこで、上記のように固定側プレート１と可動側プレート２を閉じた際にこれを強い挟着固定力を発揮させることにより、サンドウィッチ素材を多段鈎片４の何れかの鈎片に対して選択的に係止可能とする鈎片内に封じ込ませ、これにより適切な圧力をかけた蒸し焼き的な作用が奏されるように構成してある。換言すれば、多段鈎片４の何れかの鈎片に対して選択的に係止させることにより、薄めのサンドウィッチ素材に対しては緩めの係合に基づき低圧力での焼き型の型締めを、また、厚めのサンドウィッチ素材に対してはキツメノ係合に基づきこれを圧縮させるような高圧力での焼き型の型締めが行われるように構成してある。
【００２０】
更に、二つ割り状の焼き型３，３の内面には格子模様状の凹凸を刻設しておくことにより、ホットサンドの焼き上がり時に「布のキルト」を思わせるような焼き目が付くように構成してある（図２参照）。
【符号の説明】
【００２１】
１  固定側プレート
１ａ  操作用把持部
２  可動側プレート
２ａ  操作用把持部
３  二つ割り状の焼き型
４  多段鈎片
５  掛け止め用レバー
【図１】
0003201083.tif 000003
【図２】
0003201083.tif 000004
【図３】
0003201083.tif 000005
【図４】
0003201083.tif 000006